(57)【要約】      （修正有）【課題】自然に直立できるゴミ用の水切り袋を提供する。【解決手段】袋体１０と、袋体１０の側壁上に設けられ、袋体１０の底部から開口部方向に沿って延伸する複数の補強リブ２０を含み、袋体１０は透水可能材料からなる。袋体１０の側壁上には袋体１０の底部から開口部方向に沿って複数の補強リブ２０が設けられ、袋体１０を使用するとき、補強リブ２０は直立状態になる。【選択図】図１
0003215175.tif 000002
【実用新案登録請求の範囲】
【請求項１】
ゴミ用の水切り袋であって、袋体（１０）と、前記袋体（１０）の側壁上に設けられ、前記袋体の底部から開口部方向に沿って延伸する複数の補強リブ（２０）を含み、
前記袋体（１０）は透水可能材料から製造される、ことを特徴とするゴミ用の水切り袋。
【請求項２】
前記袋体（１０）の底部に設けられている補強リブを更に含む、ことを特徴とする請求項１に記載のゴミ用の水切り袋。
【請求項３】
前記袋体の開口部位に設けられている補強リブを更に含む、ことを特徴とする請求項１に記載のゴミ用の水切り袋。
【請求項４】
前記袋体の開口部位に設けられている開閉機構を更に含む、ことを特徴とする請求項１に記載のゴミ用の水切り袋。
【請求項５】
前記開閉機構はスライダー（５０）又はジッパーである、ことを特徴とする請求項４に記載のゴミ用の水切り袋。
【請求項６】
前記開閉機構は引き紐（４０）である、ことを特徴とする請求項４に記載のゴミ用の水切り袋。
【請求項７】
前記開閉機構は、前記袋体（１０）の開口部位に連結される蓋（３０）と、それぞれが前記蓋（３０）と袋体（１０）の上部に設けられているスナップボタン（３１）または面ファスナーを含む、ことを特徴とする請求項４に記載のゴミ用の水切り袋。
【請求項８】
前記袋体（１０）の側壁及び底部はシート材全体がアコーディオンのように折りたたまれて形成され、側辺が貼り合わせられている、ことを特徴とする請求項１乃至請求項７のいずれか一項に記載のゴミ用の水切り袋。
【請求項９】
前記シート材は複数の互いに平行するシート材片が連続的に貼り合わせられて形成され、互いに隣接するシート材片の貼り合わせ部には補強リブ（２０）が形成される、ことを特徴とする請求項８に記載のゴミ用の水切り袋。
【考案の詳細な説明】
【技術分野】
【０００１】
本考案はゴミ用の水切り袋に関する。
【背景技術】
【０００２】
現在、通常のゴミ用の水切り袋を直立させる場合、他の支持フレームを用いてゴミ用の水切り袋を支持しなければならないため、使用が面倒になる。
【考案の概要】
【考案が解決しようとする課題】
【０００３】
本考案の目的は、上述の１つ以上の問題を解決するために、ゴミ用の水切り袋を提供することである。
【０００４】
本考案の１つ実施形態は、ゴミ用の水切り袋を公開し、袋体と袋体の側壁上に設けられ、袋体の底部から開口部方向に沿って延伸する複数の補強リブを含み、袋体は透水可能材料からなる。
【０００５】
本考案のゴミ用の水切り袋において、袋体の側壁上には袋体の底部から開口部方向に沿って複数の補強リブが設けられ、袋体を使用するとき、補強リブは直立状態になる。
【０００６】
いくつかの実施形態では、本考案は袋体の底部に設けられる補強リブを更に含む。袋体の底部には補強リブが設けられて、使用する際には、ゴミ用の水切り袋の底部が広がった状態になっているため、安定して直立できる。
【０００７】
いくつかの実施形態では、本考案は袋体の開口部位に設けられる補強リブを更に含む。袋口部に補強リブが設けられることにより、使用する際には、袋口部は常に開いた状態になっているため、使用しやすくなる。
【０００８】
いくつかの実施形態では、本考案は袋体の開口部位に設けられる開閉機構を更に含む。袋口部を閉じることにより、ゴミの悪臭を袋内に封止させることができ、悪臭の周囲への広がりを防ぐことができる。使用するときは、袋口部を開いてゴミを中に入れればよい。
【０００９】
いくつかの実施形態では、本考案の開閉機構はスライダー又はジッパーである。袋口部にスライダー又はジッパーを設けることにより、袋口部の開閉操作が便利になり、袋口部を繰り返して開閉することもでき便利になる。
【００１０】
いくつかの実施形態では、本考案の開閉機構は引き紐である。袋口部に引き紐を設けることにより、袋口部を繰り返して開閉することが便利になり、また、ゴミ袋を引き上げることにも便利になる。
【００１１】
いくつかの実施形態では、本考案の開閉機構は、袋体の開口部位に設けられている蓋と、それぞれが蓋と袋体の上部に設けられているスナップボタン又は面ファスナーを含む。袋口部に蓋とスナップボタン又は面ファスナーを設けることにより、袋口部を繰り返して開閉することが便利になる。
【００１２】
いくつかの実施形態では、本考案の袋体の側壁と底部は、シート材全体がアコーディオンのように折りたたまれて形成され、側辺が貼り合わせられている。このような設計により、ゴミ用の水切り袋の加工がしやすくなり、加工されたゴミ用の水切り袋の保存が更に便利になる。ゴミ袋を保存するとき、全体がシート状になっているため、空間の節約ができる。
【００１３】
いくつかの実施形態では、本考案のシート材は複数の互いに平行するシート材片が連続的に貼り合わせられて形成され、互いに隣接するシート材片の貼り合わせ部には補強リブが形成される。このような設計は、非常によく材質自体を利用することができ、他の材料を添加する必要がない。
【図面の簡単な説明】
【００１４】
【図１】図１は、本考案の第１実施形態におけるゴミ用の水切り袋の構造を示す図である。
【図２】図２は、本考案の第２実施形態におけるゴミ用の水切り袋の構造を示す図である。
【図３】図３は、本考案の第３実施形態におけるゴミ用の水切り袋の構造を示す図である。
【図４】図４は、本考案の第４実施形態におけるゴミ用の水切り袋の構造を示す図である。
【図５】図５は、本考案の第５実施形態におけるゴミ用の水切り袋の構造を示す図である。
【考案を実施するための形態】
【００１５】
下記において図面を用いて本考案について更に詳細に説明する。
【００１６】
図１は、本考案の第１実施形態におけるゴミ用の水切り袋の構造を示す図である。
【００１７】
図１に示すように、該ゴミ用の水切り袋は、袋体１０と、袋体１０の側壁上に設けられ、袋体の底部から開口部方向に沿って延伸する複数の補強リブ２０を含む。
【００１８】
袋体１０は透水可能材料から製造される。
本実施形態において、袋体１０は不織布を用いる。他の実施形態において、材質は網状、紙または布等の透水可能材料であってもよく、好ましくは、生分解性材料である。
【００１９】
本実施例において、袋体１０の側壁及び底部はシート材全体がアコーディオンのように折りたたまれて形成され、側辺が貼り合わせられている。シート材は複数の互いに平行するシート材片が連続的に貼り合わせられて形成され、互いに隣接するシート材片の貼り合わせ部には補強リブ２０が形成される。ゴミ袋を保存するとき、全体がシート状になっているため、空間の節約ができる。他の実施例において、袋体１０は直接桶状または他の形状に設計することができる。
【００２０】
該ゴミ用の水切り袋を使用していないとき、全体がシート状になっているため、保存が便利になり、占用空間が小さくなる。該ゴミ用の水切り袋を使用するとき、袋体１０の側壁を両辺に向かって広げると、袋体１０は全体が柱状になって、自然に直立できる。広がったゴミ用の水切り袋を水槽の中に入れて、ゴミを袋の中に入れると、ゴミ中の水又は他の液体がゴミ用の水切り袋の底部から流出し、更に下水道から直接排出し、固体ゴミは袋の中に残る。
【００２１】
図２は、本考案の第２実施形態におけるゴミ用の水切り袋の構造を示す図である。
図２に示すように、袋体１０の底部には補強リブ２０が設けられ、袋体１０の開口部位にも補強リブ２０が設けられている。袋体１０の底部には補強リブ２０が設けられて、使用する際には、ゴミ用の水切り袋の底部が広がった状態になっているため、安定して直立できる。開口部位に補強リブが設けられることにより、使用する際には、袋口部は常に開いた状態になっているため、使用しやすくなる。
【００２２】
図３は、本考案の第３実施形態におけるゴミ用の水切り袋の構造を示す図である。
図３に示すように、袋体１０の開口部位には開閉機構が設けられている。袋口部を閉めることにより、ゴミの悪臭を袋内に封止させることができ、悪臭の周囲への広がりを防ぐことができる。使用するときは、袋口部を開いてゴミを中に入れればよい。
【００２３】
本実施例において、開閉機構はスライダー５０である。他の実施例において、開閉機構はジッパーであってもよい。
【００２４】
該ゴミ用の水切り袋は使用しないとき、全体がシート状になっているため、保存が便利になり、占用空間が小さくなる。該ゴミ用の水切り袋を使用するとき、袋口部のつまみ５１を動かすと、スライダー５０が開き、袋体１０の側壁を両辺に向けて広げることにより、袋体１０の全体が柱状になり、補強リブ２０はゴミ用の水切り袋を自然に直立させることができる。広がったゴミ用の水切り袋を水槽の中に入れ、ゴミを袋の中に入れると、ゴミ中の水又は他の液体がゴミ用の水切り袋の底部から流出し、更に下水道から直接排出し、固体ゴミは袋の中に残る。一回の使用で、ゴミ用の水切り袋にゴミが満杯になっていない場合、スライダーを閉じて、ゴミ用の水切り袋の袋口部を封止し、悪臭の周囲への広がりを防ぐ。再びゴミを入れるとき、スライダーを開いて、該ゴミ用の水切り袋の中にゴミを入れればよい。ゴミ用の水切り袋の中にゴミが満杯になった場合、スライダーを閉じて、直接捨ててもよく、ゴミのみを袋から取出して捨てて、該ゴミ用の水切り袋を再利用してもよい。
【００２５】
図４は、本考案の第４実施形態におけるゴミ用の水切り袋の構造を示す図である。
図４に示すように、開閉機構は、袋体１０の開口に連結される蓋３０と、それぞれが蓋３０と袋体１０の上部に設けられているスナップボタン３１又は面ファスナーを更に含んでもよい。
【００２６】
該ゴミ用の水切り袋にゴミを入れた後、蓋３０と袋体１０の上部のスナップボタン３１又は面ファスナーを接着させることにより、袋口部が封止されて、悪臭の周囲への広がりを防ぐ。再びゴミを入れる場合、スナップボタン３１又は面ファスナーを開いて、該ゴミ用の水切り袋の中にゴミを入れればよい。ゴミ用の水切り袋の中にゴミが満杯になった場合、スナップボタン３１又は面ファスナーを接着して、直接捨ててもよく、ゴミのみを袋から取出して捨てて、該ゴミ用の水切り袋を再利用してもよい。
【００２７】
図５は、本考案の第５実施形態におけるゴミ用の水切り袋の構造を示す図である。
図５に示すように、ゴミ用の水切り袋の開閉機構は引き紐４０であってもよい。該ゴミ用の水切り袋にゴミを入れた後、引き紐４０を引っ張ることにより、袋口部が封止されて、悪臭の周囲への広がりを防ぐ。再びゴミを入れる場合、引き紐４０を開いて、該ゴミ用の水切り袋の中にゴミを入れればよい。ゴミ用の水切り袋の中にゴミが満杯になった場合、引き紐を引き閉めて、直接捨てることができる。引き紐４０を設けることにより、ゴミ用の水切り袋の引上げが便利になる。
【００２８】
上述は本考案のいくつかの実施形態のみであり、本考案の構造を限定するものではない。当業者にとって、本考案の構想から離れない前提で、いくつかの変形と改善を行うことができるが、これらも本考案の保護範囲に属すべきである。
【図１】
0003215175.tif 000003
【図２】
0003215175.tif 000004
【図３】
0003215175.tif 000005
【図４】
0003215175.tif 000006
【図５】
0003215175.tif 000007